(57)【要約】【課題】ベゼルレスの表示装置を実現しようとすると、ベゼルでの保持という構造を用いずに、表示パネル、または保護パネルを保持しなければならない課題があった。【解決手段】表示装置１を、映像を表示する表示部と、前記表示部の前面に配置されたパネルと、ネジ溝が形成された軸部と抜き止め部を備える落下防止部材７と、前記軸部の一部と前記パネルとを固定する第一の固定部６と、前記第一の固定部６と前記抜き止め部との間でかつ、前記表示部の外周に配置され、前記軸部が貫通し、かつ、前記抜き止め部の表面積より小さい開口面積を有する貫通孔が形成された第二の部材３と、前記パネルと前記第二の部材３とを固定する第二の固定部と６を備えるようにする。【選択図】図５
2014098726.tif 000002
【特許請求の範囲】
【請求項１】
第一の部材と、
軸部と抜き止め部を備える落下防止部材と、
前記軸部の一部と前記第一の部材とを固定する第一の固定部と、
前記抜き止め部の表面積より小さい開口面積を有し前記軸部が貫通する貫通孔が形成された、前記第一の固定部と前記抜き止め部との間に配置される第二の部材と、
前記第一の部材と前記第二の部材とを固定する第二の固定部と、
を備える落下防止構造。
【請求項２】
前記軸部は、前記貫通孔の縁部と隙間を有して前記貫通孔を貫通する、
請求項１記載の落下防止構造。
【請求項３】
前記抜き止め部は、前記第二の部材と隙間を有して配置される、
請求項１記載の落下防止構造。
【請求項４】
前記第一の部材はガラスであり、
前記第二の固定部は、前記第一の部材の裏面と前記第二の部材の表面とを接着材料を用いて接着する、
請求項１記載の落下防止構造。
【請求項５】
前記軸部の一部にはネジ溝が形成され、
前記第一の固定部は、前記第一の部材の裏面に接着材料で接着された部材であり、
前記第一の固定部に形成されたネジ穴を介して前記軸部の一部と前記第一の部材とを固定する、
請求項４記載の落下防止構造。
【請求項６】
映像を表示する表示部と、
前記表示部の前面に配置されたパネルと、
ネジ溝が形成された軸部と抜き止め部を備える落下防止部材と、
前記軸部の一部と前記パネルとを固定する第一の固定部と、
前記第一の固定部と前記抜き止め部との間でかつ、前記表示部の外周に配置され、前記軸部が貫通し、かつ、前記抜き止め部の表面積より小さい開口面積を有する貫通孔が形成された第二の部材と、
前記パネルと前記第二の部材とを固定する第二の固定部と、
を備える表示装置。
【発明の詳細な説明】
【技術分野】
【０００１】
本発明は落下防止構造に関する。詳しくは、第一の部材と第二の部材を固定する部位が何らかの理由により機能不全に陥った場合であっても、第一部材と第二の部材とが完全に離間し、落下しないように構成した落下防止構造に関する。
【背景技術】
【０００２】
近年、表示装置のデザイン競争が進んでいる。表示装置の薄型化に伴い、外装デザインに様々な工夫を凝らすことが可能になった。
【０００３】
表示装置の正面外装における主な構成要素は、画面とベゼルである。画面とはＰＤＰ（Ｐｌａｓｍａ  Ｄｉｓｐｌａｙ  Ｐａｎｅｌ）、ＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）などの表示パネルに表示される映像が視認される箇所である。画面はガラスなどの透明な保護パネルで保護される場合もある。ベゼルとは画面の周囲に配置された縁である。ベゼルは樹脂や金属板などで形成される。
【０００４】
最近の表示装置の製品動向として、ベゼルを出来るだけ狭くしたデザインが流行している。ベゼルを狭くすることによって、表示パネル、または保護パネルの光沢感が強調される。
【０００５】
更に、ベゼルを廃止した表示装置も近年発売されている。正面外観の大部分が光沢のある部品で形成されることによって更なる高級感の訴求が可能である。
【０００６】
ベゼルの廃止に伴いベゼルの役割を他の部品が担う必要がある。ベゼルには大きく２つの役割がある。以下説明する。
【０００７】
ベゼルの役割のひとつに、表示パネルの端部に存在する電極部品の遮蔽がある。この点は保護パネルなどの端部に黒色塗装を施すことによって電極部品の遮蔽が可能である。
【０００８】
ベゼルの役割のひとつに、表示パネルまたは保護パネルの保持がある。
【０００９】
例えば、ベゼルを含む表示装置全体を箱体としてみなし、表示パネル、または保護パネルを筐体内のシャーシ部材に支持させて固定し、箱体内部に収納する技術が一般的に知られている（特許文献１）。このようにするとシャーシ部材の支持構造が万が一機能しなくなった場合もベゼルが表示パネルまたは保護パネルを保持することができる。
【先行技術文献】
【特許文献】
【００１０】
【特許文献１】特開２００９−１２２４２５号公報
【発明の概要】
【発明が解決しようとする課題】
【００１１】
ベゼルを廃止すると、シャーシ部材の支持構造が万が一機能しなくなった場合に表示パネル、または保護パネルを保持する機構が存在しなくなる。
【００１２】
つまり、ベゼルでの保持という構造を用いずに、表示パネル、または保護パネルを保持しなければならない課題があった。
【００１３】
本発明は、上記事情に鑑みてなされたものであって、シャーシ部材の支持構造が万が一機能しなくなった場合であっても、表示パネル、または保護パネルを保持することが可能な落下防止構造および表示装置を提供することを目的としている。
【課題を解決するための手段】
【００１４】
前記従来の課題を解決する為に、本発明の落下防止構造は、第一の部材と軸部と抜き止め部を備える落下防止部材と、前記軸部の一部と前記第一の部材とを固定する第一の固定部と、前記抜き止め部の表面積より小さい開口面積を有し前記軸部が貫通する貫通孔が形成された、前記第一の固定部と前記抜き止め部との間に配置される第二の部材と、前記第一の部材と前記第二の部材とを固定する第二の固定部と、を備える落下防止構造とした。
【００１５】
また本発明の表示装置は、映像を表示する表示部と、前記表示部の前面に配置されたパネルと、ネジ溝が形成された軸部と抜き止め部を備える落下防止部材と、前記軸部の一部と前記パネルとを固定する第一の固定部と、前記第一の固定部と前記抜き止め部との間でかつ、前記表示部の外周に配置され、前記軸部が貫通し、かつ、前記抜き止め部の表面積より小さい開口面積を有する貫通孔が形成された第二の部材と、前記パネルと前記第二の部材とを固定する第二の固定部と、を備える表示装置とした。
【発明の効果】
【００１６】
本発明の落下防止構造によれば、何らかの原因によって第二の固定部が万が一機能しなくなった場合に、第一の固定部がその負荷を吸収するので、第一の部材の落下が防止できる。
【００１７】
また、本発明の表示装置によれば、何らかの原因によって第二の固定部が万が一機能しなくなった場合に、第一の固定部がその負荷を吸収するので、パネルの落下が防止できる。
【図面の簡単な説明】
【００１８】
【図１】実施の形態１にかかる表示装置の正面斜視図
【図２】実施の形態１にかかる表示装置の構成図
【図３】実施の形態１にかかる表示装置の断面拡大図
【図４】実施の形態１にかかる表示装置の断面図
【図５】実施の形態１にかかる表示装置の第一の部材の落下運動を表す断面図
【図６】図５にかかる表示装置断面の一部拡大図
【図７】図５にかかる表示装置断面の一部拡大図
【発明を実施するための形態】
【００１９】
以下本発明の一実施の形態について図面を参照しながら説明する。本実施の形態では落下防止構造が形成された表示装置について説明する。
（実施の形態）
＜表示装置の構成＞
以下図面を参照しながら、実施の形態１にかかる表示装置の構成を説明する。
【００２０】
図１を用いて実施の形態１にかかる表示装置の外観を説明する。図１は実施の形態１にかかる表示装置の正面斜視図である。
【００２１】
表示装置１は映像または画像の鑑賞に用いられる装置である。表示装置１は第一の部材２と第二の部材３とを有する。
【００２２】
第一の部材２は、ガラス製のパネルである。第一の部材２は表示部（説明は後述する）の前面に配置される。第一の部材２は透過性である。第一の部材２は表示部に表示された映像を透過する画面としての機能を有する。第一の部材２は表示装置１の前面の大部分を占める。第一の部材２の材質はガラスには限られない。第一の部材２の材質としては、透過性であって保護用途に適する材質を適用することができる。
【００２３】
第二の部材３は、金属製のフレームである。第二の部材３は表示部（説明は後述する）の外周に配置される。第二の部材３は表示装置１の前面の縁部に僅かに視認される。第二の部材３は表示装置１の側面の大部分を占める。
【００２４】
図２を用いて実施の形態１にかかる表示装置の内部構造を説明する。図２は実施の形態１にかかる表示装置の構成図である。
【００２５】
表示装置１は、第一の部材２と、第二の部材３と、表示部４と、バックカバー５とを含む部品が積層状に重なって形成されている。
【００２６】
表示部４は、表示パネルである。表示部４はＰＤＰ（Ｐｌａｓｍａ  Ｄｉｓｐｌａｙ  Ｐａｎｅｌ）である。表示部４は視聴者に提示する映像が表示される有効画面と、有効画面の周囲の周縁部とを有する。周縁部には電極や封止部材などが配置される。表示部４はＰＤＰに限られない。例えばＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）などの表示パネルを用いても良い。
【００２７】
バックカバー５は、表示装置１の背面を形成するカバーである。
【００２８】
更に図２を用いて表示装置１の構造を説明する。
【００２９】
第一の部材２と第二の部材３とは第一の固定部と、第二の固定部とを介して固定される。
【００３０】
第一の固定部６は、第一の部材２の裏面に接着材料で接着された部材（第三の部材）である。第一の固定部６は薄型の略ブリッジ形状を有する。第一の固定部６の２箇所の端部が第一の部材２の裏面に接着材料で接着されている。第一の固定部６の中央付近は第一の部材２から浮き上がっている。第一の固定部６の当該中央付近にはネジ穴が形成されている。
【００３１】
図３を用いて第一の固定部６が第一の部材２と第二の部材３とを固定する様子を示す。図３は実施の形態１にかかる表示装置の断面拡大図である。以下詳しく説明する。
【００３２】
落下防止部材７について説明する。落下防止部材７は軸部８と抜き止め部９とを有する。落下防止部材７の軸部８の一部は第二の部材３の貫通孔１０を貫通する。また、落下防止部材７の軸部８の一部にはネジ溝が形成されている。落下防止部材７の軸部８の一部は、第一の部材２に第一の固定部６を介して締結される。本実施の形態において、軸部８は、貫通孔１０の縁部と隙間を有して貫通孔１０を貫通する。第二の部材３は、第一の部材２と抜き止め部９との間に配置されている。また、抜き止め部９は、第二の部材３と隙間を有して配置される。抜き止め部９の表面積は貫通孔１０の開口面積より大きい。なお、落下防止部材７の軸部８は段差を有している。このような落下防止部材７の構造をいわゆる段つきネジという。このようにすると表示装置１の組み立ての際に誤って落下防止部材７の軸部８の先端が第一の部材２に接してしまうことを防止できる。
【００３３】
図４を用いて、第二の固定部について説明する。図４は実施の形態１にかかる表示装置の断面図である。第二の固定部１１は第一の部材２と第二の部材３とを固定する接着材料である。本実施の形態では接着材料として接着剤を用いたが、強度に応じて両面テープなどを用いても良い。第二の固定部１１としてネジとネジ穴によって構成される締結手段を用いても良いが、表示装置１の薄型化の為には接着剤や両面テープ等の面接着性の材料を用いるほうが好ましい。
【００３４】
＜作用効果＞
以上のように説明した表示装置１の構成に基づく作用効果を説明する。本実施の形態では落下防止構造が形成された表示装置について説明したので、表示装置１の第一の部材２が落下した場合の作用効果を説明する。
【００３５】
第一の部材２は、第二の固定部１１が何らかの原因によって機能しなくなった場合に第二の部材３から離脱して落下運動を始める。何らかの原因とは第二の固定部１１の接着手段によって様々なものが考えられる。接着材や両面テープを第二の固定部１１として用いた場合は使用耐久年数を超えた永年の使用等によって第二の固定部１１が機能しなくなるおそれがある。ネジ等の締結手段を第二の固定部１１として用いた場合は外部からの衝撃により、第二の固定部１１が破壊されて、第二の固定部１１が機能しなくなるおそれがある。
【００３６】
本実施の形態の表示装置においては、落下防止構造が形成されているので、第一の部材２は落下運度を始めても、所定の移動距離の移動後に再び第二の部材３に固定される。
【００３７】
図５および図６および図７を用いて第一の部材２の落下運動の様子を説明する。図５は実施の形態１にかかる表示装置の第一の部材の落下運動を表す断面図である。図６は図５にかかる表示装置断面の一部拡大図である。図６に示されるように、第一の部材２の落下運動が始まると第一の部材２が前方に移動する。図７に示されるように、第一の部材２前方に移動すると、落下防止部材７が第一の固定部６に当接する。図５に示されるように、落下防止部材７と第一の固定部６との接点が支点となって、第一の部材２の落下運動を停止させる。
【００３８】
以下、構成要素間の関係に基づき、より詳しく作用を説明する。
【００３９】
まず、落下防止部材７の軸部８の一部が第一の固定部６を介して第一の部材２に固定されているので、第一の部材２が前方に移動すると合わせて落下防止部材７も前方に移動する。
【００４０】
続いて、落下防止部材７の抜き止め部９が貫通孔１０の開口面積より大きい表面積を有するので、落下防止部材７が前方に移動すると、抜き止め部９の一部と貫通孔１０とが当接する。
【００４１】
つまり、本実施の形態のように落下防止構造を形成された表示装置は、第二の固定部１１が機能不全に陥り、第一の部材２が落下運動を始めた場合であっても、落下防止部材７の抜き止め部９が、第二の部材３に形成された貫通孔１０に当接するので、第一の部材２が完全に落下することが防止される。
【００４２】
続いて、本実施の形態にかかる落下防止構造が形成された表示装置が有する、更なる作用効果について説明する。
【００４３】
抜き止め部９の一部と貫通孔１０とが当接した際には、第一の部材２と第一の固定部６との接合部に非常に大きな負荷がかかる。しかし、本実施の形態にかかる落下防止構造が形成された表示装置においては、この非常に大きな負荷に対する対策がなされている。以下説明する。
【００４４】
第一の部材２が落下運動を始める前提として第二の固定部１１が機能しなくなるおそれについて触れた。第二の固定部１１とは対照的に、第一の固定部６は通常の使用状態において、機能不全になるおそれが非常に低い。第一の固定部６が機能不全になるおそれが非常に低いということは、万が一、第一の部材２が落下運動を始めた場合であっても、確実に第一の部材２の落下を防止できるということである。
【００４５】
第一の固定部６が機能不全になるおそれが非常に低い理由について説明する。本実施の形態にかかる表示装置は、通常の使用状態においては、第一の部材２と第一の固定部６との接合部には微小な負荷のみしかかからない。まず、軸部８が貫通孔１０を、貫通孔１０の縁部と隙間を有して、貫通しているので、落下防止部材７は第一の部材２による負荷を受けない。落下防止部材７が第一の部材２による負荷を受けないということは、第一の部材２と、落下防止部材７に固定された第一の固定部６との間にも反作用の力が生じないということになる。仮に軸部８が貫通孔１０に固定されると、貫通孔１０付近を支点として落下防止部材７に第一の部材２の自重による負荷がかかる。落下防止部材７に第一の部材２の自重による負荷がかかると、第一の部材２と、落下防止部材７に固定された第一の固定部６との間にも反作用の力が生じる。
【００４６】
本実施の形態では、落下防止部材７が第一の部材２の自重による負荷を受けないので、第一の固定部６と第一の部材２とを固定する接着材料の劣化速度は非常に緩やかである。また、第一の固定部６と第一の部材２が接着材料以外のネジ等の接合手段で固定された場合であっても、金属疲労の進行は非常に緩やかである。
【００４７】
上述したように、第一の固定部６は第二の固定部１１に比べて通常の使用状態でかかる負荷が少ない。よって第二の固定部１１が機能不全に陥った際に、第一の固定部６も同様に機能不全に陥るという可能性が少ない。例えば第一の固定部６と第二の固定部１１とが所定の耐用年数を持つ場合であって、表示装置１が耐用年数を超えて使用された場合に、第二の固定部１１は機能不全に陥る可能性が高いが、第一の固定部６は機能不全に陥る可能性が少ない。また、外観に晒される第一の部材２に強い衝撃が加わった際にも、第二の固定部１１は機能不全に陥る可能性が高いが、第一の固定部６は機能不全に陥る可能性が少ない。
【００４８】
つまり、本実施の形態のように落下防止構造を形成された表示装置は、上述したように落下防止構造が機能した際に、軸部８が貫通孔１０を、貫通孔１０の縁部と隙間を有して、貫通しているので、通常の使用の際に第一の固定部６に非常に弱い負荷しかかからず、より確実に第一の部材２の落下を防止することができる。
【００４９】
さらに続いて、本実施の形態にかかる落下防止構造が形成された表示装置が有する、作用効果について説明する。
【００５０】
第二の固定部１１が機能不全に陥った際は、表示装置１を修理する必要がある。ここで、第二の固定部１１が機能不全に陥った場合であっても、表示装置１の外観に変化が無い場合は、使用者に表示装置１を修理させる動機付けを喚起することができない。本実施の形態のように落下防止構造を形成した表示装置によれば、使用者に対して表示装置１を修理する必要性を伝えることができる。
【００５１】
第二の固定部１１が機能不全に陥った際に、使用者に対して表示装置１を修理する必要性を伝えることができる点について説明する。本実施の形態においては、抜き止め部９は第二の部材３と隙間を有して配置された。このような構成によって、抜き止め部９と第二の部材３との隙間に応じた距離だけ、第一の部材２が前面に落下運動を起こす。よって、第二の固定部１１が機能不全に陥った際には、視聴者は前面に移動した第一の部材２を発見することになる。結果として、使用者に対して表示装置１を修理する必要性を伝えることができる。
【００５２】
さらに続いて、本実施の形態にかかる落下防止構造が形成された表示装置が有する、作用効果について説明する。
【００５３】
上述したように、第一の固定部６と第二の固定部１１とでは通常の使用状態でかかる負荷が異なる。ここで、表示装置１の薄型化に鑑みて、第一の固定部６は本実施の形態のように第三の部材で形成し接着材料で第一の部材２の裏面に接着することが望ましい。接着材料は一般的にネジ等の物理的締結手段に比べて強度に劣るが省スペース性に優れる。第一の固定部６と第一の部材２との接合面は上述したように通常の使用状態では強い負荷がかからないので、強度上の問題が少ない。一方で、落下防止部材７と第一の固定部６との接合面には、第一の固定部６の落下時に強い負荷がかかる。よって、本実施の形態のように、軸部８の一部にネジ溝を形成し、第一の固定部６（第三の部材）にネジ穴を形成して、ネジ穴を介して落下防止部材７と第一の固定部６とを固定することが望ましい。また、第一の部材がガラス質である場合には接着材料との相性が好適である。よって、表示装置１全体の薄型化の観点から、本実施の形態のように、第二の固定部１１は、第一の部材２の裏面と第二の部材３との表面とを接着材料で接着することが望ましい。
【００５４】
なお、第一の部材２は、パネル以外で構成することができる。例えば表示パネルで構成することも可能である。その場合は第二の部材３を新たな構成部品で形成すればよい。
【００５５】
また、本実施の形態で説明した落下防止構造は表示装置のみに適用可能なものではない。要は第一の部材の脱落防止構造であるので、脱落させたくない部材を有する装置、機器、構造、の全般に応用可能である。
【００５６】
＜まとめ＞
以上のように説明した、落下防止構造を備えた表示装置によれば、第二の固定部１１が機能不全に陥り、第一の部材２が落下運動を始めた場合であっても、落下防止部材７の抜き止め部９が、第二の部材３に形成された貫通孔１０に当接するので、第一の部材２が完全に落下することが防止される。
【産業上の利用可能性】
【００５７】
本発明の落下防止構造を備えた表示装置は、一例として、プラズマディスプレイパネルを備えた表示装置として有用である。
【符号の説明】
【００５８】
１    表示装置
２    第一の部材
３    第二の部材
４    表示部
５    バックカバー
６    第一の固定部
７    落下防止部材
８    軸部
９    抜き止め部
１０  貫通孔
１１  第二の固定部
【図１】
2014098726.tif 000003
【図２】
2014098726.tif 000004
【図３】
2014098726.tif 000005
【図４】
2014098726.tif 000006
【図５】
2014098726.tif 000007
【図６】
2014098726.tif 000008
【図７】
2014098726.tif 000009